(57)【要約】      （修正有）【課題】耳の痛みを大幅に軽減し、且つマスク本体の顔面保持性及び密閉性を向上させるマスク固定具を提供する。【解決手段】マスク固定具２０は、口及び鼻を覆うマスク本体と、両耳それぞれに掛ける紐状の耳掛け部とを備えるマスクを顔面上で固定するため、マスク本体と対向する後頭部の位置に配置し、耳掛け部を介してマスク本体を固定するマスク固定部２２を備える。マスク固定部２２は耳掛け部の円弧状部分を把持する係止部２１を備える。【選択図】図２
0003175507.tif 000002
【実用新案登録請求の範囲】
【請求項１】
口及び鼻を覆うマスク本体と、両耳それぞれに掛けることで前記マスク本体を顔面上の特定の場所で固定する、２本１組の紐状の耳掛け部とを備え、前記耳掛け部の一端及び他端は前記マスク本体の両端上下において固定されるマスクを顔面上で固定するマスク固定具であって、
前記マスク本体と対向する後頭部の位置に配置し、前記耳掛け部を介してマスク本体を固定するマスク固定部を備えることを特徴とするマスク固定具。
【請求項２】
前記マスク固定部は、前記耳掛け部の円弧状部分を把持する係止部を備えることを特徴とする請求項１に記載のマスク固定具。
【請求項３】
前記マスク固定部は、バレッタの機能及び形状を備えることを特徴とする請求項２に記載のマスク固定具。
【請求項４】
前記マスク固定部は、板状の部材であることを特徴とする請求項２に記載のマスク固定具。
【請求項５】
前記マスク固定部は、後頭部との接触側に粘着部を備えることを特徴とする請求項３又は４に記載のマスク固定具。
【請求項６】
前記マスク固定部は、縫製可能な孔を備えることを特徴とする請求項３又は４に記載のマスク固定具。
【請求項７】
前記マスク固定部は、複数の前記係止部を備えることを特徴とする請求項１乃至６のいずれか１項に記載のマスク固定具。
【請求項８】
前記マスク固定部は、鉛直方向に複数分岐していることを特徴とする請求項１乃至７のいずれか１項に記載のマスク固定具。
【請求項９】
前記マスク固定部は、可撓性を有することを特徴とする請求項１乃至８のいずれか１項に記載のマスク固定具。
【考案の詳細な説明】
【技術分野】
【０００１】
本考案は、マスク着用に伴う耳への負担を限りなく無くし、マスクと顔との密着性を向上させるマスク固定具に関する。
【背景技術】
【０００２】
従来、市販されているマスクには、大別して以下の２種類がある。一つが柔軟性に優れて変形しやすい布マスクである。例えば、ガーゼマスク、このガーゼマスクより顔面への密着性を高めようと扇状の横ヒダを設けた横ヒダ付きマスクなどがそれである。また二つめが、布ガーゼに比べて剛性の高い成形マスクである。前者の布マスクは、長方形にカットされたガーゼや織布などの布帛を複数枚重ね合わせてマスク本体としている。これに対し、後者の成形マスクは、合成繊維からなる不織布を熱プレス成形することでマスク本体としている。両マスクとも、マスク本体の長さ方向の両端部に、それぞれ紐またはゴム紐（支持体）が一対取り付けられている。
これらのマスクの着用時には、一対の紐またはゴム紐を両耳に引っかけることで、それぞれのマスク本体により、使用者の口や鼻を覆うようになっている。なお、ガーゼマスクは柔軟性に優れ、変形がしやすい。そのため、口や鼻を通して外気を吸い込む際の肺の吸気力、および、口や鼻から湿ったあたたかな息を吐く際の肺の排気力などにより、使用中のマスク本体の口や鼻を覆う箇所にへたりが生じやすい。これにより、マスク本体の中央部が口や鼻に密着しやすくなっている。そのため、マスク本体部の裏面が直接口に当り、マスクと口との間に空間がなく、呼吸がし辛いという問題がある。また、マスクを装着したときに、マスクの側端部分と頬との間に隙間が生じ、花粉等が侵入してしまうことがある。このような問題に対し、呼吸がしやすく、密閉性の高いマスクが提案されている（例えば、特許文献１）。
しかしながら、このような従来のマスクには、以下の問題点がある。すなわち、（１）マスクの着用時には、紐やゴム紐を両方の耳にかけたり、これらを後頭部で結んだりしなければならず、その作業がわずらわしい。（２）また、マスクを長時間着用していると、紐またはゴム紐が圧接される両頬の部分の血行が悪くなり、マスクを外しても赤い圧接跡がしばらく残る。さらに、ゴム紐の圧迫により耳に負荷がかかり痛みが生じる。しかも、成形マスクの場合には、この直線的な紐の圧接跡に加えて、さらに口鼻の周りに、比較的幅の広いマスク本体の外周部の圧接跡が残る。
【先行技術文献】
【特許文献】
【０００３】
【特許文献１】実用新案登録第３１２５９４５号
【考案の概要】
【考案が解決しようとする課題】
【０００４】
そこで、本考案は、上記問題を鑑みて為されたものであって、耳の痛みを大幅に軽減し、且つマスク本体の顔面保持性及び密閉性を向上させるマスク固定具を提供する。
【課題を解決するための手段】
【０００５】
上記課題を解決するため、本考案の様態は、口及び鼻を覆うマスク本体と、両耳それぞれに掛けることでマスク本体を顔面上の特定の場所で固定する、２本１組の紐状の耳掛け部とを備え、耳掛け部の一端及び他端は前記マスク本体の両端上下において固定されるマスクを顔面上で固定するマスク固定具であって、マスク本体と対向する後頭部の位置に配置し、耳掛け部を介してマスク本体を固定するマスク固定部を備えるマスク固定具を提供する。
【図面の簡単な説明】
【０００６】
【図１】本考案の第１〜７の実施の形態に係るマスクを説明する概要図である。
【図２】本考案の第１の実施の形態に係るマスク固定具を説明する概要図である。
【図３】本考案の第２の実施の形態に係るマスク固定具を説明する概要図である。
【図４】本考案の第１及び２の実施の形態に係るマスク固定具を使用した際の概要図である。
【図５】本考案の第３の実施の形態に係るマスク固定具を説明する概要図である。
【図６】本考案の第４の実施の形態に係るマスク固定具を説明する概要図である。
【図７】本考案の第３及び４の実施の形態に係るマスク固定具を使用した際の概要図である。
【図８】本考案の第５の実施の形態に係るマスク固定具を説明する概要図である。
【図９】本考案の第６の実施の形態に係るマスク固定具を説明する概要図である。
【図１０】本考案の第７の実施の形態に係るマスク固定具を説明する概要図である。
【考案を実施するための形態】
【０００７】
以下、本考案の実施形態を図面に基づいて説明する。
［第１の実施の形態］
本考案の第１の実施の形態に係るマスク固定具２０は、図１及び２に示すように、口及び鼻を覆うマスク本体１１と、両耳それぞれに掛けることでマスク本体１１を顔面上の特定の場所で固定する、２本１組の紐状の耳掛け部１２とを備え、耳掛け部１２の一端及び他端はマスク本体１１の両端上下において固定されるマスク１０を顔面上で固定し、マスク本体１１と対向する後頭部の位置に配置し、耳掛け部１２を介してマスク本体１１を固定するマスク固定部２２を備える。また、マスク固定部２２は、耳掛け部１２の円弧状部分を把持する係止部２１を備える。すなわち、紐状の耳掛け部１２の円弧状部分を係止部２１にそれぞれ両側から引っ掛けることで、従来において耳に引っ掛けることの代用となる。そのため、耳に耳掛け部１２は接触することなくマスクを着用することが可能となり、耳への負担は皆無となる。さらに、マスク固定部２２は、図２（ｂ）（ｃ）に示すように、バレッタの機能及び形状を備える。すなわち、本考案の第１の実施の形態に係るマスク固定具２２は、図２（ｃ）から図２（ｂ）の状態の遷移により、毛髪を挟むことができ、バレッタとしての機能を実現可能である。
［第２の実施の形態］
つぎに、本考案の第２の実施の形態に係るマスク固定具３０は、板状の部材であるマスク固定部３１を備える。第２の実施の形態に係るマスク固定具３０は、第１の実施の形態に係るマスク固定具２０と異なりバレッタの機能は有さないが、形状及び機能等が非常に簡易なため、安価及び迅速な生産が可能となる。図３（ａ）はマスク固定具３０の正面図、図３（ｂ）はマスク固定具３０の側面図である。図４は、本考案に係る第１及び第２の実施の形態に係るマスク固定具２０及び３０を使用した際の概要図である。図４に示すように、マスク固定具２０及び３０が耳の代わりとなり、マスク固定具２０及び３０の係止部２１が耳掛け部１２を係止することで、耳掛け部１２の耳への負担は皆無になることがわかる。
［第３の実施の形態］
つぎに、本考案の第３の実施の形態に係るマスク固定具４０は、図５に示すように、後頭部との接触側に粘着部４１を有するマスク固定部３１を備える。粘着部４１は、１回の接着で粘着性が失われる素材も適用可能であり、接着及び離間を繰り返しても粘着性が失われない素材等も適用可能である。図５（ａ）はマスク固定具４０の正面図、図５（ｂ）はマスク固定具４０の側面図である。本考案の第３の実施の形態に係るマスク固定具４０は、粘着部４１を直接後頭部に粘着させるよりは、帽子等を着用した頭部に対する使用が適する。
［第４の実施の形態］
つぎに、本考案の第４の実施の形態に係るマスク固定具５０は、図６に示すように、縫製可能な孔５１を有するマスク固定部３１を備える。マスク固定具５０は、孔５１に糸を通すことで、縫製により帽子に固定される。図６（ａ）はマスク固定具５０の正面図、図６（ｂ）はマスク固定具５０の側面図である。図７に示すように、マスク固定具４０及び５０は帽子に固定した状態で耳の代わりとなり、マスク固定具４０及び５０の係止部２１が耳掛け部１２を係止することで、耳掛け部１２の耳への負担は皆無になることがわかる。
［第５の実施の形態］
つぎに、本考案の第５の実施の形態に係るマスク固定具６０は、図８に示すように、複数の係止部２１を有するマスク固定部３１を備える。図８（ａ）はマスク固定具６０の正面図、図８（ｂ）はマスク固定具６０の側面図である。マスク固定具６０は、係止部２１を複数有するため、耳掛け部１２を任意の係止部２１で係止することが可能となり、マスク１０の顔面への密着性を自由に調整することが可能となる。
［第６の実施の形態］
つぎに、本考案の第６の実施の形態に係るマスク固定具７０は、図９に示すように、鉛直方向に複数分岐しているマスク固定部７１，７２を備える。図９（ａ）に示すマスク固定部７１はＸ字形状に分岐し、図９（ｂ）に示すマスク固定部７２はＨ字形状に分岐する。マスク固定部７１，７２を使用することで、耳掛け時耳掛け部１２の鉛直方向間隔が広がり、顔の形状の違いによって発生する耳掛け部１２の耳への接触よる耳への負担が軽減される。
［第７の実施の形態］
つぎに、本考案の第７の実施の形態に係るマスク固定具８０は、図１０に示すように、可撓性を有するマスク固定部８１を有する。図１０（ａ）は、使用前のマスク固定部８１の状態を示し、図１０（ｂ）は、マスク固定部８１が後頭部に対して凸に撓んだ状態を示す。本考案の第７の実施の形態に係るマスク固定具８０は、後頭部への密着性が向上する。第７の実施の形態に係るマスク固定具８０には、可撓性を有するプラスチック及びシリコン素材が適用可能である。
［その他の実施形態］
上記のように、本考案は、本考案の実施の形態によって記載したが、この開示の一部をなす論述及び図面は本考案を限定するものであると理解すべきではない。この開示から当業者には本考案が本明細書中に説明した実施の形態に限定されるものではないということは明らかであり、様々な代替実施の形態、実施例及び運用技術が明らかとなろう。
本考案は、ここでは記載していない様々な実施の形態等を含むことは勿論であり、特許請求の範囲の記載により定まる本考案の趣旨及び範囲を逸脱することなく修正及び変更態様として実施することができる。したがって、本明細書の記載は、例示説明を目的とするものであり、本考案に対して何ら制限的な意味を有するものではない。また、本考案の技術的範囲は上記の説明から妥当な特許請求の範囲に係る考案特定事項によってのみ定められるものである。
【符号の説明】
【０００８】
１０  マスク
１１  マスク本体
１２  耳掛け部
２０，３０，４０，５０，６０，７０．８０  マスク固定具
２１  係止部
２２，３１，７１，７２，８１  マスク固定部
４１  粘着部
５１  孔
【図１】
0003175507.tif 000003
【図２】
0003175507.tif 000004
【図３】
0003175507.tif 000005
【図４】
0003175507.tif 000006
【図５】
0003175507.tif 000007
【図６】
0003175507.tif 000008
【図７】
0003175507.tif 000009
【図８】
0003175507.tif 000010
【図９】
0003175507.tif 000011
【図１０】
0003175507.tif 000012